Podtech/llm-jp-corpus-v4-ja_patent huggingface dataset:
【手続補正書】
【提出日】平成18年8月29日(2006.8.29)
【手続補正１】
【補正対象書類名】特許請求の範囲
【補正対象項目名】全文
【補正方法】変更
【補正の内容】
【特許請求の範囲】
【請求項１】
Ｅｐｈ受容体ファミリーメンバーに選択的に結合するＥｐｈ受容体結合リガンド。
【請求項２】
単離されたペプチドまたはペプチド擬似化合物を含む、請求項１に記載のＥｐｈ受容体結合リガンド。
【請求項３】
１００残基未満の長さを有する、請求項２に記載の単離されたペプチド。
【請求項４】
５０残基未満の長さを有する、請求項２に記載の単離されたペプチド。
【請求項５】
２０残基未満の長さを有する、請求項２に記載の単離されたペプチド。
【請求項６】
芳香族アミノ酸Φ及び任意のアミノ酸Ｘから成るモチーフΦＸＸΦを含有する、請求項２に記載の単離されたペプチド。
【請求項７】
前記Ｅｐｈ受容体が、ＥｐｈＡ２、ＥｐｈＡ４、ＥｐｈＢ４、ＥｐｈＡ５、ＥｐｈＡ７およびＥｐｈＢ２からなる群より選択される、請求項２に記載の単離されたペプチド。
【請求項８】
インビトロにおいて、細胞をＥｐｈ受容体ファミリーメンバーに選択的に結合する化合物を含むＥｐｈ受容体結合リガンドの有効量と接触させることを含む、細胞におけるＥｐｈ受容体活性の調節方法。
【請求項９】
前記Ｅｐｈ受容体結合リガンドが、単離されたペプチドまたはペプチド擬似化合物を含む、請求項８に記載の方法。
【請求項１０】
前記Ｅｐｈ受容体ファミリーメンバーが、ＥｐｈＡ２、ＥｐｈＡ４、ＥｐｈＢ４、ＥｐｈＡ５、ＥｐｈＡ７およびＥｐｈＢ２からなる群より選択される、請求項８に記載の方法。
【請求項１１】
哺乳動物においてプログラム細胞死を活性化するのに有効な量のＥｐｈ受容体アゴニストを含む哺乳動物におけるプログラム細胞死の活性化剤であって、該アゴニストは、Ｅｐｈ受容体ファミリーメンバーに選択的に結合する化合物を含む、哺乳動物におけるプログ
ラム細胞死の活性化剤。
【請求項１２】
前記Ｅｐｈ受容体アゴニストが、単離されたペプチドまたはペプチド擬似化合物を含む、請求項１１に記載の活性化剤。
【請求項１３】
前記哺乳動物がヒトである、請求項１１に記載の活性化剤。
【請求項１４】
前記細胞が腫瘍性である、請求項１１に記載の活性化剤。
【請求項１５】
前記アゴニストがＥｐｈＡ２受容体と結合する、請求項１１に記載の活性化剤。
【請求項１６】
前記アゴニストが、ＥｐｈＡ２受容体へのエフリン-Ａの結合を阻害する、請求項１１に記載の活性化剤。
【請求項１７】
前記アゴニストが、ＥｐｈＡ２受容体のリン酸化を促進する、請求項１１に記載の活性化剤。
【請求項１８】
哺乳動物において神経再生を活性化するのに有効な量のＥｐｈ受容体アゴニストを含み、該アゴニストは、Ｅｐｈ受容体ファミリーメンバーに選択的に結合する化合物を含む、哺乳動物における神経再生の促進用及び／又はニューロン変性の改善用の薬剤。
【請求項１９】
前記変性が、外傷性損傷、精神遅滞または神経変性疾患によるものである、請求項１８に記載の薬剤。
【請求項２０】
前記Ｅｐｈ受容体アゴニストが、単離されたペプチドまたはペプチド擬似化合物を含む、請求項１８に記載の薬剤。
【請求項２１】
インビトロにおいて細胞に治療剤を接触させることを含む、Ｅｐｈ受容体を発現する細胞への治療剤の送達方法であって、該治療剤は、Ｅｐｈ受容体ファミリーメンバーに選択的に結合する化合物を含むＥｐｈ受容体結合リガンドと連結されていることを特徴とする方法。
【請求項２２】
前記Ｅｐｈ受容体結合リガンドが、単離されたペプチドまたはペプチド擬似化合物を含む、請求項２１に記載の方法。
【請求項２３】
治療剤と連結されたＥｐｈ受容体結合リガンドを含有するコンジュゲートであって、前記Ｅｐｈ受容体結合リガンドは、Ｅｐｈ受容体ファミリーメンバーに選択的に結合する、コンジュゲート。
【請求項２４】
前記Ｅｐｈ受容体結合リガンドが、ＥｐｈＡ２受容体、ＥｐｈＢ４受容体、ＥｐｈＢ２受容体、ＥｐｈＡ４受容体、ＥｐｈＡ５受容体、またはＥｐｈＡ７受容体に選択的に結合する、請求項２３に記載のコンジュゲート。
【請求項２５】
イメージング剤と連結されたＥｐｈ受容体結合化合物を含有するコンジュゲートであって、該Ｅｐｈ受容体結合リガンドは、Ｅｐｈ受容体ファミリーメンバーに選択的に結合する、コンジュゲート。
【請求項２６】
前記Ｅｐｈ受容体結合リガンドが、ＥｐｈＡ２受容体、ＥｐｈＢ４受容体、ＥｐｈＡ４受容体、ＥｐｈＡ５受容体、ＥｐｈＡ７受容体、またはＥｐｈＢ２受容体に選択的に結合する、請求項２５に記載のコンジュゲート。
【請求項２７】
ランダムなペプチドをコードするファージディスプレイライブラリーを作製すること、
固定化したＥｐｈ受容体に対して、前記ライブラリーをパニングすること、および
前記Ｅｐｈ受容体に結合するファージクローンを同定すること
を含む、Ｅｐｈ受容体結合リガンドの同定方法。
【請求項２８】
いくつかの非保存アミノ酸により分断された２つの芳香族残基を含有するアミノ酸配列を有する、単離されたＥｐｈ受容体結合リガンド。
【請求項２９】
前記非保存アミノ酸の数が１−４個である、請求項２８に記載の単離されたＥｐｈ受容体結合化合物。
【請求項３０】
Ｅｐｈ受容体に結合したＥｐｈ受容体結合因子を検出すること、
前記Ｅｐｈ受容体を候補化合物と接触させること、および
前記Ｅｐｈ受容体からの前記Ｅｐｈ受容体結合因子の解離を検出すること
を含み、これにより、前記候補化合物がＥｐｈ受容体結合リガンドであると同定する、Ｅｐｈ受容体結合リガンドの同定方法。
【請求項３１】
前記Ｅｐｈ受容体が、ＥｐｈＡ２、ＥｐｈＡ４、ＥｐｈＡ５、ＥｐｈＡ７、ＥｐｈＢ２およびＥｐｈＢ４からなる群より選択される、請求項３０に記載の方法。
【請求項３２】
前記Ｅｐｈ受容体結合リガンドが、検出可能な標識で標識されている、請求項３０に記載の同定方法。
【請求項３３】
前記Ｅｐｈ受容体は、そのトリプトファン残基が選択的に標識されている、請求項３０に記載の同定方法。
【請求項３４】
前記トリプトファン側鎖が、13Ｃおよび15Ｎおよび19Ｆおよび1Ｈで選択的に標識されている、請求項３３に記載の方法。
【請求項３５】
核磁気共鳴を用いて行なう、請求項３４に記載の方法。
【請求項３６】
前記Ｅｐｈ受容体結合リガンドがエフリンである、請求項３０に記載の方法。
【請求項３７】
前記エフリンが、エフリン−アルカリホスファターゼ融合タンパク質である、請求項３６に記載の方法。
【請求項３８】
Ｅｐｈ受容体ファミリーメンバーに選択的に結合する化合物を含む、腫瘍性疾患、神経変性疾患、精神遅滞および外傷性損傷の治療のための医薬。
【手続補正書】
【提出日】平成17年12月21日(2005.12.21)
【手続補正１】
【補正対象書類名】特許請求の範囲
【補正対象項目名】全文
【補正方法】変更
【補正の内容】
【特許請求の範囲】
【請求項１】
微生物感染抑制作用を有するアミノ酸配列ＬＫＫＴＥＴまたはその保存的変異型を含む微生物感染抑制ポリペプチドを含む、微生物感染症の治療用の医薬組成物。
【請求項２】
前記ポリペプチドは、サイモシンβ４（Ｔβ４）、Ｔβ４のＮ末端変異型、Ｔβ４のＣ末端変異型、Ｔβ４のアイソフォーム、酸化Ｔβ４、またはＴβ４スルホキシドを含む、請求項１に記載の組成物。
【請求項３】
全身投与されるものである、請求項１に記載の組成物。
【請求項４】
局所投与されるものである、請求項１に記載の組成物。
【請求項５】
経腸投与されるものである、請求項１に記載の組成物。
【請求項６】
前記微生物感染症は細菌感染症である、請求項１に記載の組成物。
【請求項７】
前記微生物感染症は炭疽菌感染症である、請求項１に記載の組成物。
【請求項８】
前記微生物感染症は胃腸感染症である、請求項１に記載の組成物。
【請求項９】
胃腸疾患抑制作用を有するアミノ酸配列ＬＫＫＴＥＴまたはその保存的変異型を含む胃腸疾患抑制ポリペプチドを含む、胃腸疾患の治療用の医薬組成物。
【請求項１０】
前記胃腸疾患は、感染、擦傷、炎症、アレルギー、免疫疾患、または遺伝的異常に関連する、請求項９に記載の組成物。
【請求項１１】
前記胃腸疾患はクローン病である、請求項９に記載の組成物。
【請求項１２】
前記胃腸疾患は潰瘍性大腸炎である、請求項９に記載の組成物。
【請求項１３】
前記胃腸疾患は再発性アクタ性口内炎である、請求項９に記載の組成物。
【請求項１４】
微生物感染抑制作用を有するアミノ酸配列ＬＫＫＴＥＴまたはその保存的変異型を含む、微生物感染症の治療用薬剤の製造に使用される物質。
【請求項１５】
胃腸疾患抑制作用を有するアミノ酸配列ＬＫＫＴＥＴまたはその保存的変異型を含む、胃腸疾患の治療用薬剤の製造に使用される物質。
【手続補正書】
【提出日】平成18年8月8日(2006.8.8)
【手続補正１】
【補正対象書類名】特許請求の範囲
【補正対象項目名】全文
【補正方法】変更
【補正の内容】
【特許請求の範囲】
【請求項１】
抗原部分とペアにされた免疫応答修飾因子部分を含む免疫刺激性組成物。
【請求項２】
式：
【化１】
2006507265.tif 000001
（式中、
Ｒ1は、リンカー基であり；
Ｒ2は、
−水素；
−アルキル；
−アルケニル；
−アリール；
−置換アリール；
−ヘテロアリール；
−置換ヘテロアリール；
−アルキル−Ｏ−アルキル；
−アルキル−Ｓ−アルキル；
−アルキル−Ｏ−アリール；
−アルキル−Ｓ−アリール；
−アルキル−Ｏ−アルケニル；
−アルキル−Ｓ−アルケニル；および
−アルキルまたはアルケニルであって、
−ＯＨ；
−ハロゲン；
−Ｎ（Ｒ5）2；
−ＣＯ−Ｎ（Ｒ5）2；
−ＣＳ−Ｎ（Ｒ5）2；
−ＳＯ2−Ｎ（Ｒ5）2；
−ＮＲ5−ＣＯ−Ｃ1-10アルキル；
−ＮＲ5−ＣＳ−Ｃ1-10アルキル；
−ＮＲ5−ＳＯ2−Ｃ1-10アルキル；
−ＣＯ−Ｃ1-10アルキル；
−ＣＯ−Ｏ−Ｃ1-10アルキル；
−Ｎ3；
−アリール；
−置換アリール；
−ヘテロアリール
−置換ヘテロアリール；
−ヘテロシクリル；
−置換ヘテロシクリル；
−ＣＯ−アリール；
−ＣＯ−（置換アリール）；
−ＣＯ−ヘテロアリール；および
−ＣＯ−（置換ヘテロアリール）
よりなる群から選択される１つまたはそれ以上の置換基によって置換されたアルキルまたはアルケニルよりなる群から選択され；
Ｒ3およびＲ4は、各々独立して：
−水素；
−ハロゲン；
−アルキル；
−アルケニル；
−Ｏ−アルキル；
−Ｓ−アルキル；および
−Ｎ（Ｒ5）2
であるか、またはＲ3およびＲ4が一緒になった時、場合により
−ハロゲン；
−アルキル；
−アルケニル；
−Ｏ−アルキル；
−Ｓ−アルキル；および
−Ｎ（Ｒ5）2
よりなる群から選択される１つまたはそれ以上の置換基によって置換された融合アリールまたはヘテロアリール基を形成するか、またはＲ3およびＲ4が一緒になった時、場合により１つまたはそれ以上のヘテロ原子を含み、かつ場合により
−ハロゲン；
−アルキル；
−アルケニル；
−Ｏ−アルキル；
−Ｓ−アルキル；および
−Ｎ（Ｒ5）2
よりなる群から選択される１つまたはそれ以上の置換基によって置換された融合５〜７員飽和環を形成し；
各Ｒ5は独立して、水素またはＣ1-10アルキルであり；かつ
ｎは、１〜１０である）
の免疫刺激性共役体、または薬学的に許容しうるその塩。
【請求項３】
式：
【化２】
2006507265.tif 000002
（式中：
Ｘは、場合により
−Ｏ−；
−Ｓ（Ｏ）0-2；
−Ｎ（Ｒ5）−；
−Ｎ（Ｒ5）−Ｃ（Ｏ）−；
−Ｎ（Ｒ5）−Ｓ（Ｏ2）−；
−Ｎ（Ｒ5）−Ｃ（Ｏ）−Ｎ（Ｒ5）−；
−Ｎ（Ｒ5）−Ｃ（Ｓ）−Ｎ（Ｒ5）−；および
−Ｃ（Ｏ）−Ｎ（Ｒ5）−；
の１つまたはそれ以上によって中断されたアルキレン基であり；
Ｙは、１つの結合であるか、または
−Ｎ（Ｒ5）−；
−Ｎ（Ｒ5）−Ｃ（Ｏ）−；
−Ｎ（Ｒ5）−Ｃ（Ｏ）−シクロヘキシル−；
−Ｎ（Ｒ5）−Ｃ（Ｏ）−フェニレン−；および
−フェニレン−
よりなる群から選択され；
ＺAは、前記抗原と反応して共有結合を形成する反応性基であり；
Ｒ2は、
−水素；
−アルキル；
−アルケニル；
−アリール；
−置換アリール；
−ヘテロアリール；
−置換ヘテロアリール；
−アルキル−Ｏ−アルキル；
−アルキル−Ｓ−アルキル；
−アルキル−Ｏ−アリール；
−アルキル−Ｓ−アリール；
−アルキル−Ｏ−アルケニル；
−アルキル−Ｓ−アルケニル；および
−アルキルまたはアルケニルであって、
−ＯＨ；
−ハロゲン；
−Ｎ（Ｒ5）2；
−ＣＯ−Ｎ（Ｒ5）2；
−ＣＳ−Ｎ（Ｒ5）2；
−ＳＯ2−Ｎ（Ｒ5）2；
−ＮＲ5−ＣＯ−Ｃ1-10アルキル；
−ＮＲ5−ＣＳ−Ｃ1-10アルキル；
−ＮＲ5−ＳＯ2−Ｃ1-10アルキル；
−ＣＯ−Ｃ1-10アルキル；
−ＣＯ−Ｏ−Ｃ1-10アルキル；
−Ｎ3；
−アリール；
−置換アリール；
−ヘテロアリール
−置換ヘテロアリール；
−ヘテロシクリル；
−置換ヘテロシクリル；
−ＣＯ−アリール；
−ＣＯ−（置換アリール）；
−ＣＯ−ヘテロアリール；および
−ＣＯ−（置換ヘテロアリール）
よりなる群から選択される１つまたはそれ以上の置換基によって置換されたアルキルまたはアルケニルよりなる群から選択され；
Ｒ3およびＲ4は、各々独立して：
−水素；
−ハロゲン；
−アルキル；
−アルケニル；
−Ｏ−アルキル；
−Ｓ−アルキル；および
−Ｎ（Ｒ5）2
であるか、またはＲ3およびＲ4が一緒になった時、場合により
−ハロゲン；
−アルキル；
−アルケニル；
−Ｏ−アルキル；
−Ｓ−アルキル；および
−Ｎ（Ｒ5）2
よりなる群から選択される１つまたはそれ以上の置換基によって置換された融合アリールまたはヘテロアリール基を形成するか、またはＲ3およびＲ4が一緒になった時、場合により１つまたはそれ以上のヘテロ原子を含み、かつ場合により
−ハロゲン；
−アルキル；
−アルケニル；
−Ｏ−アルキル；
−Ｓ−アルキル；および
−Ｎ（Ｒ5）2
よりなる群から選択される１つまたはそれ以上の置換基によって置換された融合５〜７員飽和環を形成し；
各Ｒ5は独立して、水素またはＣ1-10アルキルである）
の化合物、または薬学的に許容しうるその塩。
【請求項４】
抗体産生細胞の刺激方法であって、
ａ）抗原部分とペアにされた免疫応答修飾因子部分を含む免疫刺激性組成物を供給する工程；および
ｂ）前記免疫刺激性組成物が前記抗体産生細胞と結合することを可能にする工程を含む方法。
【請求項５】
抗原部分に関して生体内の免疫応答を誘導するための医薬品の製造における、前記抗原部分とペアにされた免疫応答修飾因子部分を含む免疫刺激性組成物の使用。
【請求項６】
1-(2-アミノ-2-メチルプロピル)-2-(エトキシメチル)-1H-イミダゾ[4,5-c]キノリン-4-アミン化合物、または薬学的に許容しうるその塩。
【請求項７】
請求項６記載の化合物を治療上有効量含む医薬組成物。
【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
構造式（Ｉ）：
【化１】
2006507220.tif 000001
を有する化合物またはそれらの薬学的に受容可能な塩もしくは溶媒和物であって；ここで：
Ｒ１は、Ｈ、アルキル、アルケニルおよびアルキニルからなる群より選択され；
Ｒ２は、
【化２】
2006507220.tif 000002
であり、
ｐは０〜４であり；
ｍは０〜４であり；
ｎは０〜４であり；
Ｒ３は、Ｈ、アルキル、ハロ、アルコキシ、ヒドロキシ、ニトロ、アミノアルキル、およびアシルからなる群より選択され、ここで、ｍが２〜４である場合、Ｒ３は、同じであっても異なっていてもよく、そして独立して選択され；
Ｒ４およびＲ５は、同じであっても異なっていてもよく、Ｈおよびハロゲンからなる群より各々独立して選択され；
Ｒ６は、Ｈ、ハロ、アルキル、ヒドロキシ、ヒドロキシアルキル、アリールアルキル、アミノアルキル、ハロアルキル、およびチオアルキルからなる群より選択され、ここで、ｎが２〜４である場合、Ｒ６は、同じであっても異なっていてもよく、そして独立して選択され；
Ｒ７は、水素、アシル、アルキル、アルコキシ、アルケニル、シクロアルキル、同じであっても異なっていてもよく独立して選択される０〜２個のアルキル基で置換されたシクロアルキル、シクロアルケニル、ビシクロアルキル、アリールアルケニルおよびアリールアルキルからなる群より選択され；
Ｒ８は、Ｈ、アルキル、アリール、ヘテロアリール、ハロ、およびシクロアルキルからなる群より選択され；
Ｒ９は、Ｈ、アルキル、アリール、ハロ、ヒドロキシおよびシクロアルキルからなる群より選択され、ここで、（ｐ）が２〜４である場合、Ｒ９は、同じであっても異なっていてもよく、そして独立して選択されるか、または２つのＲ９基は、一緒に連結して−（ＣＨ２）ｒ−基を形成し得、ここで、ｒは１〜６であり；
Ｒ１０は、置換または非置換のアルキル、置換または非置換のアリール、および置換または非置換のヘテロアリールからなる群より選択されるが、ただし、Ｒ１０が、置換または非置換のヘテロアリールである場合、Ｍに対する結合は、Ｒ１０基中の炭素原子からであり；
Ｚは、ＮまたはＣ−Ｒ１であり；
Ｘは、−Ｏ−、−Ｓ−、−Ｓ（Ｏ）−、−Ｓ（Ｏ）２−、−Ｃ（Ｏ）−、−アルキレン−、−Ｃ（Ｓ）−、−Ｃ（アルキル）２−および−Ｃ（Ｈ）（アルキル）−からなる群より選択され；そして
Ｍは、−Ｓ（Ｏ）２−または−Ｃ（Ｏ）−である、化合物。
【請求項２】
ＺがＮである、請求項１に記載の化合物。
【請求項３】
Ｒ７が−ＣＨ（ＣＨ３）２である、請求項１に記載の化合物。
【請求項４】
Ｒ３がＨである、請求項１に記載の化合物。
【請求項５】
Ｒ６がＨである、請求項１に記載の化合物。
【請求項６】
Ｒ１がＨまたはメチルである、請求項１に記載の化合物。
【請求項７】
Ｘが−Ｏ−である、請求項１に記載の化合物。
【請求項８】
Ｒ８がＨである、請求項１に記載の化合物。
【請求項９】
Ｒ９がＨである、請求項１に記載の化合物。
【請求項１０】
Ｒ１０が置換もしくは非置換のアルキル、または置換もしくは非置換のアリールである、請求項１に記載の化合物。
【請求項１１】
Ｒ１０が置換アリールである、請求項１０に記載の化合物。
【請求項１２】
前記置換アリールが、アルキル、ハロゲンおよびアミノからなる群より選択される１以上の基で置換されている、請求項１１に記載の化合物。
【請求項１３】
式Ｉの化合物が以下：
【化３】
2006507220.tif 000003
であり、そしてここでＲ１、Ｒ２、Ｒ４およびＲ５が、示された化合物について以下の表：
【表１０】
2006507220.tif 000004
2006507220.tif 000005
2006507220.tif 000006
に定義される、請求項１に記載の化合物。
【請求項１４】
以下の式：
【化４】
2006507220.tif 000007
を有する、請求項１に記載の化合物。
【請求項１５】
以下の式：
【化５】
2006507220.tif 000008
を有する、請求項１に記載の化合物。
【請求項１６】
以下の式：
【化６】
2006507220.tif 000009
を有する、請求項１に記載の化合物。
【請求項１７】
以下の式：
【化７】
2006507220.tif 000010
を有する、請求項１に記載の化合物。
【請求項１８】
請求項１に記載の少なくとも１つの化合物を含む、薬学的組成物。
【請求項１９】
少なくとも１つの薬学的に受容可能なキャリアをさらに含む、請求項１８に記載の薬学的組成物。
【請求項２０】
請求項１９に記載の薬学的組成物を作製する方法であって、請求項１に記載の少なくとも１つの化合物を、少なくとも１つの薬学的に受容可能なキャリアと接触させる工程を包含する、方法。
【請求項２１】
認知疾患または神経変性疾患を処置するための組成物であって、該組成物は、請求項１に記載の少なくとも１つの化合物を含み、該組成物は、該疾患に罹患した患者への投与に適している、組成物。
【請求項２２】
前記組成物に含まれる式Ｉの化合物の量が、前記認知疾患または神経学的疾患の処置について治療有効量である、請求項２１に記載の認知疾患または神経変性疾患を処置するための組成物。
【請求項２３】
前記組成物に含まれる式Ｉの化合物の量が、前記患者の体重１ｋｇあたり約０．００００１ｍｇ〜約４０ｍｇである、請求項２１に記載の認知疾患または神経変性疾患を処置するための組成物。
【請求項２４】
前記認知疾患または神経変性疾患が、アルツハイマー病である、請求項２１に記載の認知疾患または神経変性疾患を処置するための組成物。
【請求項２５】
認知疾患または神経変性疾患を処置するための組成物であって、該組成物が、請求項１に記載の少なくとも１つの化合物と、少なくとも１つのアセチルコリンエステラーゼインヒビターの組み合わせを含み、該組成物が、該疾患に罹患した患者への投与に適している、組成物。
【請求項２６】
前記組成物に含まれる式Ｉの化合物の量およびインヒビターの量が、治療有効量である、請求項２５に記載の認知疾患または神経変性疾患を処置するための組成物。
【請求項２７】
前記組成物に含まれる式Ｉの化合物の量およびインヒビターの量が、各々独立して、前記患者の体重１ｋｇあたり約０．００１ｍｇ〜約１００ｍｇである、請求項２５に記載の認知疾患または神経変性疾患を処置するための組成物。
【請求項２８】
前記認知疾患または神経変性疾患が、アルツハイマー病である、請求項２５に記載の認知疾患または神経変性疾患を処置するための組成物。
【請求項２９】
認知疾患または神経変性疾患を処置するためのキットであって、単一のパッケージ中に、組み合わせて使用するための第１容器および第２容器を備え、該第１容器は、請求項１に記載の少なくとも１つの化合物を含み、そして該第２容器は、少なくとも１つのアセチルコリンエステラーゼインヒビターを含む、キット。
【手続補正書】
【提出日】平成18年3月27日(2006.3.27)
【手続補正１】
【補正対象書類名】特許請求の範囲
【補正対象項目名】全文
【補正方法】変更
【補正の内容】
【特許請求の範囲】
【請求項１】
以下の構造
【化１】
2006507219.tif 000001
を有する化合物であって、
ここで、Ｒ１、Ｒ２、Ｒ４およびＲ５は、独立して同じかまたは異なり、水素、置換または非置換のＣ５〜Ｃ１４の芳香族またはヘテロ芳香族（例えば、フェニルメチレン、４−ヒドロキシフェニルメチレン、イミダゾールメチレンなど）、および置換または非置換の飽和または不飽和のＣ１〜Ｃ６のアルキル（例えば、メチル、エチル、３−ヒドロキシプロピル、３−アミノプロピル、Ｎ―メチル−３−アミノエチル、２−メトキシエチルなど）からなる群から選択される；
ここで、Ｒ３は、置換または非置換の芳香族またはヘテロ芳香族（例えば、フェニルメチレン、トリアゾールメチレン、チオフェンメチレンなど）、ならびに置換または非置換の飽和または不飽和のＣ１〜Ｃ６のアルキル（例えば、エチル、プロピル、２−ヒドロキシエチルなど）および−ＣＨ２−ＣＨ２−Ｘ−ＣＨ３からなる群から選択され、ここで、Ｘは、Ｏ、Ｓ，ＮＨ、ＮＲ６、およびＣＨ２からなる群から選択され、ここで、Ｒ６は、低級アルキル（例えば、メチルまたはエチル）である；
ここで、Ａ１およびＡ３は、独立して同じかまたは異なり、＝Ｏ、＝Ｓ、＝ＮＨ、＝Ｎ−ＯＨ、または＝Ｎ−Ｒ７からなる群から選択され、ここで、Ｒ７は、水素またはＣ１〜Ｃ６のアルキル（例えば、メチル、エチル、またはメトキシメチル）；
ここで、Ａ２は、＝Ｏ、＝Ｓ、＝ＮＨ、＝Ｎ−ＯＨ、＝Ｎ−Ｒ８、または＝Ｃ（Ｒ９）（Ｒ１０）からなる群から選択され、ここで、Ｒ８、Ｒ９、およびＲ１０は、独立して同じかまたは異なり、水素またはＣ１〜Ｃ６のアルキル（例えば、メチル、エチル、またはメトキシメチル）からなる群から選択される；
ここでＢ１は、−Ｏ−、−Ｓ−、−ＮＨ−または−Ｎ（Ｒ１１）−からなる群から選択され、ここで、Ｒ１１は、水素およびＣ１〜Ｃ６のアルキル（例えば、メチル、エチル、またはメトキシメチル）からなる群から選択される；
ここで、Ｂ２は、存在しないか、あるいは−Ｏ−、−Ｓ−、−Ｎ（Ｒ１２）−または−Ｃ（Ｒ１３）（Ｒ１４）−からなる群から選択され、ここで、Ｒ１２、Ｒ１３、およびＲ１４は、独立して同じかまたは異なり、水素、あるいは置換または非置換の飽和または不飽和のＣ１〜Ｃ６のアルキル（例えば、メチル、エチル、３−ヒドロキシプロピル、３−アミノプロピル、Ｎ−メチル−３−アミノエチル、２−メトキシエチルなど）からなる群から選択され、ここで、Ｂ２が−Ｎ（Ｒ１２）−または−Ｃ（Ｒ１３）（Ｒ１４）−である場合、Ｂ２は、Ｒ１２、Ｒ１３、またはＲ１４を介してＲ４またはＲ５へとさらに結合され得、環式構造を形成し、ここで、−Ｂ２−Ｃ（Ｒ４）（Ｒ５）−Ｃ（＝Ａ３）−フラグメントは、全体として、プロリンあるいはプロリンの誘導体またはアナログである；
ここで、Ｂ３は、存在しないか、あるいは−Ｏ−、−Ｓ−、−ＮＨ−または−Ｎ（Ｒ１５）−からなる群から選択され、ここで、Ｒ１５は、水素およびＣ１〜Ｃ６のアルキル（例えば、メチル、エチル、またはメトキシメチル）からなる群から選択される；
ここで、Ｂ４は、存在しないか、あるいは−Ｏ−、−Ｓ−、−Ｎ（Ｒ６）−または−Ｃ（Ｒ１６）（Ｒ１７）−からなる群から選択され、ここで、Ｒ１６およびＲ１７は、独立して同じかまたは異なり、水素、あるいは置換または非置換の飽和または不飽和のＣ１〜Ｃ６のアルキル（例えば、メチル、エチル、またはメトキシメチル）からなる群から選択される；
ここで、リンカーは、存在しないか、または痕跡を残さないリンカーである；ならびに
ここで、毒素は、活性化した酵素によって活性化されると毒性となる薬剤であるが、５−フルオロデオキシウリジン、あるいはその誘導体またはアナログではない、
化合物。
【請求項２】
Ｒ１およびＲ２が両方とも水素である、請求項１に記載の化合物。
【請求項３】
Ｒ３が−ＣＨ２−ＣＨ２−Ｘ−ＣＨ３であり、ここで、Ｘが酸素、イオウまたはメチルからなる群から選択される、請求項２に記載の化合物。
【請求項４】
Ｘがイオウまたは酸素である、請求項３に記載の化合物。
【請求項５】
Ａ１およびＡ２が両方とも酸素である、請求項４に記載の化合物。
【請求項６】
Ｂ１が−ＮＨである、請求項５に記載の化合物。
【請求項７】
前記リンカーが、Ｃ６Ｈ４−ＣＨ２−、ならびに、Ｘ１およびＸ２が独立して同じかまたは異なり、−Ｏ−、−Ｓ−、およびＲａが水素または低級アルキルである−Ｎ（Ｒａ）からなる群から選択される−Ｃ６Ｈ４−ＣＨ２−Ｘ１−Ｃ（＝Ｘ２）、ならびに、ｎが２または３であり、Ｒｂが水素または低級アルキルである−（ＣＨ２）ｎ−ＮＲｂ−（Ｃ＝Ｏ）−からなる群から選択される、請求項１に記載の化合物。
【請求項８】
Ｂ４が存在しない、請求項７に記載の化合物。
【請求項９】
前記毒素が、２−メルカプトピリジン−Ｎ−オキシド、シプロフロキサシン、ノルフロキサシン、ナイトロジェンマスタード、ならびにそれらの誘導体、アナログおよび薬学的に受容可能な塩からなる群から選択される、請求項８に記載の化合物。
【請求項１０】
Ｂ２が−ＮＨであり、Ｂ３が−Ｏ−であり、Ｂ４が２−メチル−プロピルであり、そしてＲ５が水素である、請求項９に記載の化合物。
【請求項１１】
前記毒素が、ノルフロキサシン、あるいはその誘導体、アナログまたは薬学的に受容可能な塩である、請求項９に記載の化合物。
【請求項１２】
前記化合物が精製されたものである、請求項１に記載の化合物。
【請求項１３】
請求項１に記載の化合物およびキャリアを含む、組成物。
【請求項１４】
前記キャリアが、薬学的に受容可能なキャリアである、請求項１３に記載の組成物。
【請求項１５】
微生物を有効量の請求項１に記載の化合物と接触させる工程を包含する、微生物の成長を阻害するための方法。
【請求項１６】
被験体を処置するための薬学的組成物であって、有効量の請求項１に記載の化合物を含む、薬学的組成物。
【請求項１７】
潜在的な治療薬剤を同定するための方法であって、以下の工程：
（ａ）微生物を請求項１に記載の化合物と、該化合物が該微生物中に取り込まれるために好ましい条件の下で接触させる工程；および
（ｂ）該微生物の処理していないサンプルとの比較において、該微生物の増殖量をアッセイする工程、
を包含する、方法。
【手続補正書】
【提出日】平成17年12月14日(2005.12.14)
【手続補正１】
【補正対象書類名】特許請求の範囲
【補正対象項目名】全文
【補正方法】変更
【補正の内容】
【特許請求の範囲】
【請求項１】
複数のカーボンナノチューブを基板アセンブリ上に形成する方法であって、
プラズマを用いた化学的デポジションにより前記複数のカーボンナノチューブを成長させる工程と、
前記プラズマを用いたエッチングにより前記成長したカーボンナノチューブを純化する工程と、
プラズマを遮断することなく、前記成長工程及び前記純化工程を繰り返す工程と
を具備することを特徴とする方法。
【請求項２】
前記成長工程において、前記プラズマ化学デポジションの供給ガスとして、炭化水素ガスを用いることを特徴とする請求項１に記載した方法。
【請求項３】
前記炭化水素ガスはＣＨ4であることを特徴とする請求項２に記載した方法。
【請求項４】
前記炭化水素ガスはＣ2Ｈ2であることを特徴とする請求項２に記載した方法。
【請求項５】
前記成長工程において、前記基板アセンブリの温度を４００度Ｃ乃至６００度Ｃの間とすることを特徴とする請求項１に記載した方法。
【請求項６】
前記成長工程において、圧力を５００ｍＴｏｒｒ乃至５０００ｍＴｏｒｒの間とすることを特徴とする請求項１に記載した方法。
【請求項７】
前記成長工程において、前記プラスマエッチングの供給ガスとして、水素含有ガスを用いることを特徴とする請求項１に記載した方法。
【請求項８】
前記水素含有ガスはＮＨ3であることを特徴とする請求項７に記載した方法。
【請求項９】
前記水素含有ガスはＨ2であることを特徴とする請求項７に記載した方法。
【請求項１０】
前記水素含有ガスはＨ2とＮＨ3との混合ガスであることを特徴とする請求項７に記載した方法。
【請求項１１】
マイクロ波プラズマ源を用いて前記プラズマ化学デポジションを行うことを特徴とする請求項１に記載した方法。
【請求項１２】
誘導結合プラズマ源を用いて前記プラズマ化学デポジションを行うことを特徴とする請求項１に記載した方法。
【請求項１３】
容量結合プラズマ源を用いて前記プラズマ化学デポジションを行うことを特徴とする請求項１に記載した方法。
【請求項１４】
前記プラズマエッチングに用いる供給ガスを、前記プラズマ化学デポジションに用いる供給ガスに添加ガスとして添加することを特徴とする請求項１に記載した方法。
【請求項１５】
プラズマ密度を１０10／ｃｍ3〜１０12／ｃｍ3とすることを特徴とする請求項１に記載した方法。
【請求項１６】
室内でカーボンナノチューブを形成する方法であって、
室内に源ガスを導入する工程と、
源ガスを使用してプラズマを高めた化学蒸着によって複数のカーボンナノチューブを成長させる工程と、
室内に純化ガスを導入する工程と、
純化ガスを使用してプラズマエッチングにより前記成長したカーボンナノチューブを純化する工程と、
室を真空にすることなく前記成長工程と前記純化工程とを繰り返す工程と
を具備することを特徴とする方法。
【請求項１７】
前記源ガスは、炭化水素ガスである請求項１６に記載の方法。
【請求項１８】
前記源ガスは、ＣＨ4とＣ2Ｈ2とからなるグループの中から選択された炭化水素ガスである請求項１６に記載の方法。
【請求項１９】
前記純化ガスは、水素含有ガスである請求項１６に記載の方法。
【請求項２０】
前記純化ガスは、ＮＨ3とＨ2とからなるグループの中から選択された水素含有ガスである請求項１６に記載の方法。
【請求項２１】
前記純化ガスは、前記源ガスに対する追加物として前記室内に導入される請求項１６に記載の方法。
【請求項２２】
カーボンナノチューブを形成する方法であって、
プラズマを使用して化学的デポジションによって室内にカーボンナノチューブを成長させる工程と、
プラズマを遮断することなく若しくは室を真空にすることなく、プラズマエッチングにより前記成長したカーボンナノチューブを純化する工程と、
前記成長させる工程と前記純化する工程を複数回繰り返す工程と
を具備することを特徴とする方法。
【請求項２３】
請求項１乃至２２のいずれかに記載された方法に従って基板上に形成された複数のカーボンナノチューブを具備する電子放出装置。
【手続補正書】
【提出日】平成18年9月27日(2006.9.27)
【手続補正１】
【補正対象書類名】特許請求の範囲
【補正対象項目名】全文
【補正方法】変更
【補正の内容】
【特許請求の範囲】
【請求項１】
活性成分としてリスベラトロールを含む、インフルエンザウイルス感染の予防および／または治療のための医薬組成物。
【請求項２】
該ウイルスがヒトインフルエンザウイルスである請求項１の医薬組成物。
【請求項３】
獣医分野でのウイルス感染の治療のための請求項１の医薬組成物。
【手続補正書】
【提出日】平成18年7月12日(2006.7.12)
【手続補正１】
【補正対象書類名】明細書
【補正対象項目名】００６０
【補正方法】変更
【補正の内容】
【００６０】
細胞数を、テトラゾリウム塩分析（tetrazolium salt assay）を用いて分析した[17]。細胞をテトラゾリウム塩（3-(4,5ジメチルチアゾール-2-イル)-臭化2,5ジフェニルテトラゾリウム、シグマ、St Louis, MO）と一緒に３７℃で３時間インキュベートした。生存細胞は色素（dye）を還元し、濃い青の結晶のように見える紫色のホルマザン（formazan）とした。インキュベーションの最後に、それらをプロパノール−１に溶解し、１時間以内に５７５ｎｍにて吸光度を測定した。
【手続補正２】
【補正対象書類名】明細書
【補正対象項目名】００７２
【補正方法】変更
【補正の内容】
【００７２】
［結果］
ヒト前立腺ガン細胞株LNCaPの膜アンドロゲン結合部位
LNCaP細胞の培養物から調製した膜を、１０００倍モル過剰量の標識していないアンドロゲン(DHT)の存在下（全結合）または非存在下（非特異的結合）にて異なる濃度の[3H]テストステロン(2-50nMの範囲)と一緒にインキュベートした。４℃で一晩インキュベーションした後、膜結合放射活性物を単離し、測定した。図１Ａに示したように、1〜50nMの範囲の[3H]テストステロンは特異的飽和結合を誘導することが分かった。結果のスキャッチャード解析（Scatchard analysis）（図５Ａ掲載）は、テストステロン (KD 10.9nM)の高い結合親和性、および１mgのタンパク質に対する144.3 fモル(144.3 fmole/mg protein)の結合部位の数（細胞当たり約１３３４０部位数に相当）を明らかにした。
【手続補正３】
【補正対象書類名】明細書
【補正対象項目名】００７４
【補正方法】変更
【補正の内容】
【００７４】
膜テストステロン受容体の存在は、Sigma (St Louis, MO)から入手したテストステロン類似体であるテストステロン3-(O-カルボキシメチル)オキシム-BSA-FITCを用いて同様に確認した。この類似体は、ステロイドとＢＳＡが共有結合しているために、細胞に浸透することができない。図２の左パネルに示したように、テストステロン-BSAの特異的な膜結合が、フローサイトメトリーによりLNCaP細胞の膜上に発見された。テストステロン-BSAと膜受容体の結合は、インキュベーション後１分で観察され、１０分後には最大となり、３０分後まで変らなかった。膜結合を、図２右パネルに示したように、共焦点レーザー顕微鏡により同様に確認した。図のように、膜染色のみが、テストステロン-BSA複合体の使用により発見され、化合物の内在化の可能性の仮説はなくなった。
【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
一過性下部食道括約筋弛緩(TLESR)の抑制のための医薬の製造のための、代謝型グルタミン酸受容体５アンタゴニストまたはその薬学上許容し得る塩もしくは光学異性体の使用。
【請求項２】
胃食道逆流症(GERD)の治療のための医薬の製造のための、代謝型グルタミン酸受容体５アンタゴニストまたはその薬学上許容し得る塩もしくは光学異性体の使用。
【請求項３】
逆流症(reflux)の予防のための医薬の製造のための、代謝型グルタミン酸受容体５アンタゴニストまたはその薬学上許容し得る塩もしくは光学異性体の使用。
【請求項４】
吐き戻し(regurgitation)の治療または予防のための医薬の製造のための、代謝型グルタミン酸受容体５アンタゴニストまたはその薬学上許容し得る塩もしくは光学異性体の使用。
【請求項５】
喘息の治療または予防のための医薬の製造のための、代謝型グルタミン酸受容体５アンタゴニストまたはその薬学上許容し得る塩もしくは光学異性体の使用。
【請求項６】
喘息が逆流症に関連する喘息である、請求項５に記載の使用。
【請求項７】
慢性咽頭炎の治療または予防のための医薬の製造のための、代謝型グルタミン酸受容体５アンタゴニストまたはその薬学上許容し得る塩もしくは光学異性体の使用。
【請求項８】
肺疾患の治療または予防のための医薬の製造のための、代謝型グルタミン酸受容体５アンタゴニストまたはその薬学上許容し得る塩もしくは光学異性体の使用。
【請求項９】
成長障害を管理するための医薬の製造のための、代謝型グルタミン酸受容体５アンタゴニストまたはその薬学上許容し得る塩もしくは光学異性体の使用。
【請求項１０】
代謝型グルタミン酸受容体５アンタゴニストが2-メチル-6-(フェニルエチニル)-ピリジンである、請求項１〜９のいずれか１項に記載の使用。
【請求項１１】
代謝型グルタミン酸受容体５アンタゴニストが2-メチル-6-(フェニルエチニル)-ピリジンの塩酸塩である、請求項10に記載の使用。
【請求項１２】
代謝型グルタミン酸受容体アンタゴニストが3-[3-(5-フルオロピリジン-2-イル)-1,2,4-オキサジアゾール-5-イル]-5-(メトキシメチル)ベンゾニトリルである、請求項１〜９のいずれか１項に記載の使用。
【請求項１３】
代謝型グルタミン酸受容体アンタゴニストが3-フルオロ-5-[3-(5-フルオロピリジン-2-イル)-1,2,4-オキサジアゾール-5-イル]ベンゾニトリルである、請求項１〜９のいずれか１項に記載の使用。
【請求項１４】
代謝型グルタミン酸受容体５アンタゴニストの１日用量が、治療しようとする被験者の体重１kgあたり0.1〜100 mgである、請求項１〜13のいずれか１項に記載の使用。
【請求項１５】
一過性下部食道括約筋弛緩(TLESR)の抑制方法であって、薬学上および薬理学上有効量の代謝型グルタミン酸受容体５アンタゴニストまたはその薬学上許容し得る塩もしくは光学異性体を、かかる抑制を必要とする被験者に投与することによる、前記方法。
【手続補正書】
【提出日】平成18年1月6日(2006.1.6)
【手続補正１】
【補正対象書類名】特許請求の範囲
【補正対象項目名】全文
【補正方法】変更
【補正の内容】
【特許請求の範囲】
【請求項１】
空気力学的表面または流体力学的表面の渦破裂を制御する方法であって、前記表面が、この表面の上にまたは内に位置するガスソースを備え、
繰り返してガスソースを作動することによって、ガスの流れを前記表面全体にわたり通過する気流の中に放出する工程を具備する方法。
【請求項２】
前記ガスソースは、前記表面の前縁の上にまたは内に位置している請求項１に記載の方法。
【請求項３】
さらに、前記ガスソースに周期的な信号を供給することによって、ガスの流れを周期的に放出することで前記ガスソースに反応させる工程を具備する請求項１または請求項２に記載の方法。
【請求項４】
さらに、渦破裂によって生ずる翼への気圧の変動において少なくとも優位周波数と同じ大きさの周波数を有する信号を供給する工程を具備する請求項３に記載の方法。
【請求項５】
さらに、渦破裂によって生ずる翼の気圧の変動において優位周波数の調波または低調波である周波数を有する信号を供給する工程を具備する請求項４に記載の方法。
【請求項６】
さらに、渦破裂によって生ずる翼の気圧の変動において優位周波数よりも大きい規模の周波数を有する信号を供給する工程を具備する請求項４または請求項５に記載の方法。
【請求項７】
さらに、８００Ｈｚ〜１２００Ｈｚの範囲内の周波数を有する信号を供給する工程を具備する請求項６に記載の方法。
【請求項８】
前記表面は、複数のガスソースを備え、前記方法はさらに、同位相でこれらガスソースを作動する工程を具備する請求項１ないし７のいずれか１項に記載の方法。
【請求項９】
請求項１ないし８のいずれか１に規定されたような渦破裂を制御する方法に用いられる合成ジェットアクチュエータであって、この合成ジェットアクチュエータは、囲い壁と可動要素とによって規定されたキャビティを備え、前記囲い壁には、前記キャビティの中へ、および、前記キャビティから外へのガスの流れを可能とするためのオリフィスが設けられ、前記可動要素は、前記キャビティの容量を変えることによって、ガスを前記キャビティの中に、および、前記キャビティから外へ通過させるように作動可能である、合成ジェットアクチュエータ。
【請求項１０】
前記オリフィスは、矩形スリットである請求項９に記載の合成ジェットアクチュエータ。
【請求項１１】
前記オリフィスは、円形断面を有する請求項９に記載の合成ジェットアクチュエータ。
【請求項１２】
前記オリフィスは、１ｃｍ未満の直径を有する請求項１１に記載の合成ジェットアクチュエータ。
【請求項１３】
前記オリフィスは、ほぼ１ｍｍの直径を有する請求項１１に記載の合成ジェットアクチュエータ。
【請求項１４】
前記可動要素は、ピストンである請求項９ないし１３のいずれか１項に記載の合成ジェットアクチュエータ。
【請求項１５】
前記可動要素は、ダイヤフラムである請求項９ないし１３のいずれか１項に記載の合成ジェットアクチュエータ。
【請求項１６】
前記ダイヤフラムは、前記囲い壁内に設けられた肩部に接して適所に保持されている請求項１５に記載の合成ジェットアクチュエータ。
【請求項１７】
表面の前縁に沿って配置された請求項９ないし１６のいずれか１に規定された種類の複数の分離した合成ジェットアクチュエータを備える、空気力学的表面または流体力学的表面。
【請求項１８】
請求項１７に記載の空気力学的表面を備える航空機の翼。
【請求項１９】
前記翼は、デルタ形状である請求項１８に記載の航空機の翼。
【請求項２０】
請求項１８または請求項１９に記載の航空機の翼を備える航空機。
【手続補正２】
【補正対象書類名】明細書
【補正対象項目名】０００５
【補正方法】変更
【補正の内容】
【０００５】
Ｂｌａｃｋｗｅｌｄｅｒへの米国特許第４，６９７，７６９号は、翼によって生じる揚力を変えるため、デルタ翼などに使用する装置について記述している。翼の前縁に沿って延在するスパン方向の「合成ジェット」スロット装置が使用され、２つの上述の装置の例が、ここでは、図１および図２に示されている。図１において、ピストン１４は、スロット１２の容量が変えられることが可能なように設けられている。同様に、スロット１２の容量は、図２では、今度は、ダイヤフラム１８を有するスピーカー１６によって変えられる。ピストン１４またはダイヤフラム１８は、図１および図２において矢印によって示される方向に駆動されることによって、翼１０の前縁全体にわたって空気の流れの中に空気のジェットを押し出し、それによって、流れ分離に、そして結果として、翼１０によって発生される揚力に影響を及ぼす。この合成ジェット装置の作動の２つの周波数について述べる。第１の周波数は、揚力の増加が達成されるように、翼の前縁の渦の流出周波数の半分である。第２の周波数は、揚力の減少が達成されるように、流出周波数の２倍である（これは、旋回が１つの翼の揚力を増加することによって達成されることができるのに対して、もう１つの翼の揚力を減少することによって達成されることができるように、周波数の半分を使用することとの組合せで有用である）。一般的な流出周波数は、０．８ｍｓ−１で水を通って進む揚力表面のための１２Ｈｚ、および６００ｍｓ−１で水を通って進む軍用ジェット機のための３０Ｈｚに規定されている。  
【特許文献１】米国特許第５，９５７，４１３Ａ号
【特許文献２】米国特許第６，４５７，６５４Ｂ１号
【特許文献３】米国特許第６，１３８，９５５Ａ号
【手続補正書】
【提出日】平成18年8月22日(2006.8.22)
【手続補正１】
【補正対象書類名】特許請求の範囲
【補正対象項目名】全文
【補正方法】変更
【補正の内容】
【特許請求の範囲】
【請求項１】
(a) 船首及び船尾領域、ポート側及びスターボード側を有する上部デッキ領域を具えた船体と、
(b) 船体に取り付けられ、上部デッキ領域の中央部上に延びる操縦室と、
(c) 操縦室は、前部、後部を有し、操縦室は、前から後方に延びる長さを有し、
(d) 船体を推進する推進システムを具え、
(e) 更に以下の何れかを具えた、救助用ボート。
(ｉ) ポート側からスターボード側に延びる横梁、横梁の後ろに延びて、横梁の後ろに延びる１又は２以上の水ジェットユニットを有するファンテール、ファンテールと横梁の間に延びて、各々が推進システムの背後及び反対側の両方に延びる多数の浮揚室
又は
(ｉｉ) 船体内にて、デッキ及び船体のポート側及びスターボード側の内側にて凹んだポート側及びスターボード側の救助用凹部であって、各救助用凹部は長さを有し、取外し可能な格子状部にて覆われる上部デッキの開口を形成する天面開口を有し、
各救助用凹部は操縦室の後部の隣の位置から前方に延び、各救助用凹部の大多数の長さは、操縦室の後部の前にある。
【請求項２】
救助用凹部は、各々船尾部デッキ領域の前にある、請求項１に記載の救助ボート。
【請求項３】
操縦室は、少なくともポート位置とスターボード位置を有する多数の着座位置を具える、請求項１又は２に記載の救助ボート。
【請求項４】
救助用凹部は、着座位置の前後に延びる、請求項３に記載の救助ボート。
【請求項５】
操縦室は、着座位置の１つを占める操縦者に一直線の視界を提供し、着座位置にて操縦者は船体の前から、船体長さよりも短い距離の水面を見ることができる、請求項１乃至４の何れかに記載の救助ボート。
【請求項６】
船尾部デッキ領域は、広い露出したローディング区域を具え、該ローディング区域により、ヘリコプタが、ヘリコプタの巻上げケーブルを用いてローディング領域から荷を巻き上げるケーブルを吊り上げることができる、請求項１乃至５の何れかに記載の救助ボート。
【請求項７】
ボートは、担架を携行し、担架は操縦室デッキ、船客個室、船尾部デッキ領域の少なくとも１つを含む船体上の多数の領域に嵌められる、請求項１乃至６の何れかに記載の救助ボート。
【請求項８】
操縦室は、着座位置間に担架が嵌まるサイズ及び形に形成されている、請求項１乃至７の何れかに記載の救助ボート。
【請求項９】
更に、操縦室デッキの下方にある船室デッキを具える、請求項１乃至８の何れかに記載の救助ボート。
【請求項１０】
操縦室デッキは、操縦室デッキの前にある、請求項９に記載の救助ボート。
【請求項１１】
船室は、担架を受け入れるサイズ及び形に形成されている、請求項８に記載の救助ボート。
【請求項１２】
更に、船体を運ぶトレーラを有する、請求項１乃至１１の何れかに記載の救助ボート。
【請求項１３】
操縦室は、屋根を有し、船体がトレーラによって運ばれるときの、トレーラ及び船室の屋根までの全体高さは、４.１１メートル未満である、請求項１２に記載の救助ボート。
【請求項１４】
更に、デッキの隣で船体に取り付けられる拡大した発泡体のフェンダーシステムを具え、沈むべき船体に少なくとも１トンの正の浮揚力を付与する、請求項１乃至１３の何れかに記載の救助ボート。
【請求項１５】
船体は横梁を有し、横梁と操縦室の前部との間で、一定の底勾配を有する、請求項１乃至１４の何れかに記載の救助ボート。
【請求項１６】
推進システムは、船体の底上に位置する、請求項１乃至１５の何れかに記載の救助ボート。
【請求項１７】
推進システムは、プロペラが露出していない、請求項１乃至１６の何れかに記載の救助ボート。
【請求項１８】
推進システムは、２つの推進ユニットを有する、請求項１７に記載の救助ボート。
【請求項１９】
更に、両推進ユニット上に延びる船体上のファンテールを有する、請求項１６に記載の救助ボート。
【請求項２０】
更に、推進ユニット間に位置し、横梁の後ろに延びる浮揚室を具える、請求項１８に記載の救助ボート。
【請求項２１】
更に、横梁の後ろに多数の浮揚室を具える、請求項１５に記載の救助ボート。
【請求項２２】
更に、推進システムの少なくとも一部の上方に延びる船体のファンテールを具える、請求項１乃至２１の何れかに記載の救助ボート。
【請求項２３】
更に、ファンテールに取り付けられて、推進システムの少なくとも一部を吊り上げる巻上げ機を具える、請求項２２に記載の救助ボート。
【請求項２４】
船体の側部に多数の平らな留め具が配備され、該留め具にてフェンダーシステムを損傷させることなく、船体をトレーラに縛り付けることができる、請求項１乃至２３の何れかに記載の救助ボート。
【請求項２５】
デッキに多数の吊上げ留め具が配備され、該留め具にてフェンダーシステムを損傷させることなく、船体を巻き上げることができる、請求項１乃至２４の何れかに記載の救助ボート。
【請求項２６】
船体は、長さの大部分に亘って、一定の底勾配がある、請求項１乃至２５の何れかに記載の救助ボート。
【請求項２７】
更に、船体上にスプレーレールを具える、請求項１乃至２６の何れかに記載の救助ボート。
【請求項２８】
更に、船体の側面内に位置する船首揺れ安定化踵部を具える、請求項１乃至２７の何れかに記載の救助ボート。
【請求項２９】
更に、船体の船尾部に位置する高強度の曳航ポストを具える、請求項１乃至２８の何れかに記載の救助ボート。
【請求項３０】
操縦室は、多数の動的エネルギー吸収座席を具える、請求項１乃至２９の何れかに記載の救助ボート。
【請求項３１】
更に、ドック側のメインテナンスの為に、新鮮な空気及び自然光が入ることを許す多数のエンジンハッチを具える、請求項１乃至３０の何れかに記載の救助ボート。
【請求項３２】
担架で担がれる負傷者の天候防護型キャリッジ用の多数の位置がある、請求項１乃至３１の何れかに記載の救助ボート。
【請求項３３】
更に、予備的なビルジ吸引及び地上での消火活動用の外部積載ポンプを具える、請求項１乃至３２の何れかに記載の救助ボート。